(57)【要約】【課題】光沢性がもともとあり透明トナーを使用する必要のない用紙や、再生紙のようなコストを抑えた用紙に対して透明トナーを使用することで生じる透明トナーの消耗を抑制可能とする画像形成装置を提供する。【解決手段】用紙を収納する最上段デッキ１２０から最下段デッキ１２３と、用紙の情報や印刷条件を入力し設定する操作部２０１を備え、操作部２０１は、最上段デッキ１２０から最下段デッキ１２３に収納されている用紙に対して、タッチパネルディスプレイ２０１ａの設定画面３２０〜３２３で透明トナー使用の設定３３０を可能とする。【選択図】図３（ｄ）
2008116807.tif 000002
【特許請求の範囲】
【請求項１】
転写材上にカラートナー像と透明トナー像とを重ね合わせて形成可能な画像形成装置において、
前記転写材を収納する１以上の転写材収納部と、
前記転写材の情報や印刷条件を入力し設定する条件設定手段とを備え、
前記条件設定手段は、前記転写材収納部に収納されている前記転写材に対して前記透明トナー像の形成の可否を設定可能とすることを特徴とする画像形成装置。
【請求項２】
前記条件設定手段は、前記転写材の表面と裏面のそれぞれに対して個別に前記透明トナー像の形成の可否を設定可能とすることを特徴とする請求項１に記載の画像形成装置。
【請求項３】
前記条件設定手段は、前記透明トナー像の形成時に形成の可否を決定可能とすることを特徴とする請求項１または２に記載の画像形成装置。
【請求項４】
請求項１に記載の画像形成装置において、
前記情報や前記印刷条件に基づき画像形成を制御する制御手段を備え、
前記制御手段は、前記条件設定手段により設定された前記透明トナー像の形成の可否に基づき画像形成を制御することを特徴とする画像形成装置。
【発明の詳細な説明】
【技術分野】
【０００１】
本発明は、画像形成装置に関し、特に電子写真用透明トナーを付与する画像形成装置に係る光沢付与装置に関する。
【背景技術】
【０００２】
画像形成装置においては、一般的に４色のカラー（Ｙ（イエロー）、Ｍ（マゼンタ）、Ｃ（シアン）、Ｋ（ブラック））トナーを用いて生成したトナー像を用紙等の転写材に転写し、熱定着ローラなどで加熱定着することにより転写材上にカラー画像を形成している。
【０００３】
ところで、カラー画像の光沢度に対する好みは、出力する画像の種類、出力した印刷物の使用目的などによって異なり多様であるが、人物や風景などの写真原稿の場合には、鮮明な画像を得る観点から高光沢な画像が好まれている。例えば特許文献１にはカラー複写機を用い、定着機構の条件を選択することにより、高光沢な画像を得る旨が記載されている。しかしながら、特許文献１に記載の発明の場合、トナーによる画像部の光沢度は高くできるものの、非画像部の光沢度は高くできず、転写材上の光沢度を均一にすることはできない。
【０００４】
上記問題を解決するために、例えば特許文献２にはカラートナーのほかに透明トナーを転写材に転写、定着する方法が提案されている。
【特許文献１】特開平５−１４２９６３号公報
【特許文献２】特開平７−７２６９６号公報
【発明の開示】
【発明が解決しようとする課題】
【０００５】
しかしながら、特許文献２に記載の発明では、樹脂が塗布されて比較的表面の平滑で光沢性のある印刷用アート紙では、通常でも光沢が得られるため透明トナーを非有効的に使用してしまうことがある。しかし一意的に光沢性のある紙に対して透明トナーの使用を制限してしまうと地紋などを意図的に使用する場合に課題が残る。また、高い光沢度を必要としないため再生紙を使用した場合にも、画像情報に透明トナー使用の情報が含まれていた場合は透明トナーを使用してしまい透明トナーを無駄に消費してしまう場合がある。
【０００６】
そこで、本発明は上記従来技術の課題を解決するためになされたものであり、その目的とするところは、透明トナーの使用に関して転写材収容部ごとに設定をすることにより透明トナーの無駄な使用を抑制可能とした画像形成装置を提供することにある。
【課題を解決するための手段】
【０００７】
上記目的を達成するために本発明に係る画像形成装置は以下の構成を備える。
【０００８】
（１）転写材上にカラートナー像と透明トナー像とを重ね合わせて形成可能な画像形成装置において、前記転写材を収納する１以上の転写材収納部と、前記転写材の情報や印刷条件を入力し設定する条件設定手段とを備え、前記条件設定手段は、前記転写材収納部に収納されている前記転写材に対して前記透明トナー像の形成の可否を設定可能とすることを特徴とする画像形成装置。
【０００９】
（２）前記条件設定手段は、前記転写材の表面と裏面のそれぞれに対して個別に前記透明トナー像の形成の可否を設定可能とすることを特徴とする前記（１）に記載の画像形成装置。
【００１０】
（３）前記条件設定手段は、前記透明トナー像の形成時に形成の可否を決定可能とすることを特徴とする前記（１）または（２）に記載の画像形成装置。
【００１１】
（４）前記（１）に記載の画像形成装置において、前記情報や前記印刷条件に基づき画像形成を制御する制御手段を備え、前記制御手段は、前記条件設定手段により設定された前記透明トナー像の形成の可否に基づき画像形成を制御することを特徴とする画像形成装置。
【発明の効果】
【００１２】
本発明によれば、透明トナーを付与する画像形成装置において、不必要な透明トナーの使用を抑制することができる。
【発明を実施するための最良の形態】
【００１３】
以下、図面を参照して本発明の一実施形態について説明する。
【００１４】
［画像形成装置：図１］
図１は、本発明の一実施の形態に係る画像形成装置の構成を模式的に示す縦断面図である。
【００１５】
本画像形成装置は、画像形成装置本体１００とリーダー１０１から構成される。本画像形成装置は、リーダー１０１で読み取られた原稿１４１の画像を転写材収納部である最上段デッキ１２０から最下段デッキ１２３までの給紙段デッキのいずれから給紙される転写材（以下、用紙とする）に画像を形成する。なお、１２１を上段デッキ、１２２を下段デッキとする。
【００１６】
このリーダー１０１は、次のように構成される。まず、原稿１４１を照射するランプを含む照射ユニット１３８から構成される。そして、照射ユニット１３８により照射された原稿１４１の反射光をレンズ１４０を通して、光を画像データに変換する光電変換ユニット１５０まで到達させるためのミラーユニット１３９などから構成される。リーダー１０１の光電変換ユニット１５０に読み取られた原稿画像データは、画像形成装置本体１００の画像処理部へと送られる。
【００１７】
１０２から１０６は、静電潜像を形成し、トナーにより感光体上に画像を現像する各色の現像ステーションである。本実施例においては、１０２はブラック、１０３はイエロー、１０４はマゼンタ、１０５はシアン、１０６は透明トナーの現像ステーションとなっている。
【００１８】
各現像ステーション１０２から１０６の構成を代表して、ブラックの現像ステーション１０２で説明する（図中の符号もブラックの現像ステーション１０２の構成にのみ付する）。リーダー１０１で読み取られた原稿画像が図２の画像処理部２０２により色分解され、色分解されたデータのうちブラックの画像データが、レーザースキャナユニット１０９のレーザーによる光ビームでミラー１１０に反射され、感光体１１１へと照射される。このとき感光体１１１は、一次帯電器１０８により一様に所定の電位に帯電しており、画像データに応じて光ビームが照射されることにより、静電潜像された画像が形成される。この感光体１１１上に静電潜像された画像が現像器１１２のブラックトナーで現像される。そして現像された画像は、一次転写ローラ１１３により、感光体１１１から中間転写ベルト１１５へと転写される。他の各現像ステーション１０３〜１０６においても、同様に各色に対応して色分解された画像データが各感光体上に現像され、一次転写ローラ１１３によって、中間転写ベルト１１５上へ転写される。このとき、リーダー１０１からの原稿画像や、不図示であるがＰＣなどからプリントアウトされるＰＤＬ（Ｐａｇｅ  Ｄｅｓｃｒｉｐｔｉｏｎ  Ｌａｎｇｕａｇｅ）画像を現像するときには、次のように動作する。すなわち、各現像ステーション１０２〜１０６で現像される画像データを中間転写ベルト１１５上で画像位置を一致させるようなタイミングで各レーザースキャナユニットから照射されるレーザーで書き込みを行い、各色を重ね合わせた画像を形成する。
【００１９】
ここで、中間転写ベルト１１５上に形成された画像が用紙上に転写される方法について述べる。例えば最上段デッキ１２０に積載されている用紙に転写される場合には、まずピックアップローラ１２４によってピックアップされる。そして、引き抜きローラ１２５により、縦パス搬送路１１９上にある縦パスローラ１２６へと送られた用紙がレジストローラ１１８まで搬送され、そこで一時停止する。そして、中間転写ベルト１１５上の画像先端が所定の位置に達したら、レジストローラ１１８を駆動し、二次転写ローラ１１７により、転写バイアスをかけて、用紙に画像を転写する。さらに画像が転写された用紙は、搬送路１２７により、定着器１２８へと送り込まれる。定着器１２８はトナーが溶融する温度まで不図示のヒータで暖められた上部の定着ローラ１２９と下部の定着ベルト１３０により、用紙を挟み込みつつ、用紙上に転写されたトナー画像を溶融し、用紙に定着させる。そして、フラッパ１３１により、外排紙搬送路１３２、または両面／反転搬送路１３３に送り込まれる。どちらに送出するかは、図３で説明される操作部２０１やＰＤＬ画像のプリントドライバ上での搬送モードの設定（片面／両面、ソート／ノンソートなど）や両面／反転搬送路１３３に送ることができない用紙の設定に応じた搬送モードで決定される。
【００２０】
外排紙搬送路１３２に送出される場合には、外排紙ローラ１３７へ送り込まれ、画像形成装置本体１００の機外へと排紙される。両面／反転搬送路１３３に送出された場合には、両面／反転パス１３５へと用紙が送り込まれる。そして、両面／反転切替フラッパ１３４により、用紙を反転させて機外へ排出する反転排紙モードの場合には、再び両面／反転搬送路１３３へと戻され、外排紙ローラ１３７へと送出される。また両面モードの場合には、両面／反転切替フラッパ１３４は両面／反転パス１３５にある用紙を両面搬送路１３６へと送出されるように切り替えられる。両面搬送路１３６の用紙は、再び裏面に画像を転写するために、縦パス搬送路１１９へと送り込まれるように図２のプリンタ制御部２０３で制御される。
【００２１】
［画像形成装置の制御部：図２］
図２は画像形成装置本体（以下、単に画像形成装置とする）１００の制御を行う制御部の概略構成を示すブロック図である。
【００２２】
この制御部は主に次のように構成されている。すなわち、プログラム実行手段としての制御回路部（ＣＰＵ）２００と、ユーザーからの入力を受け付ける操作部２０１と、リーダー１０１からの画像情報、もしくはＰＤＬ画像の画像情報を処理する画像処理部２０２とから構成されている。さらに、画像形成装置１００のプリント動作を制御するプリンタ制御部２０３と、リーダー１０１の動作を制御するリーダー制御部２０４と、演算処理用の一時記憶手段を構成するＲＡＭ２０５から構成されている。このうちＲＡＭ２０５には後述する給紙段デッキ（以下、単に給紙段とする）情報などの情報を蓄える。
【００２３】
［操作部：図３］
図３（ａ）〜図３（ｅ）は画像形成装置１００の操作部２０１（条件設定手段に相当）であり、この操作部２０１により画像形成装置１００の制御回路部２００に種々の条件・情報を入力・設定する。
【００２４】
図３（ａ）は本実施例における操作部２０１の平面図である。２０１ａはタッチパネルディスプレイであり、図３（ｂ）のように通常はコピー枚数、選択用紙サイズ、倍率、コピー濃度が表示されている。２０１ｂはリセットキーであり、コピーモードを標準モードに戻す。２０１ｃはスタートキーであり、コピー動作を開始する。２０１ｄはストップキーであり、コピー動作を中断する。２０１ｅはクリアキーであり、コピーモードを標準モードに戻す。２０１ｆはテンキーであり、コピー枚数を設定する。２０１ｇはカラーモード選択キーであり、ＡＣＳキー、Ｃｏｌｏｒキー、Ｂｌａｃｋキーとからなる。ここで、ＡＣＳキーは原稿がカラーであるか白黒であるかを自動的に判別して、カラーの場合はカラーで出力し、白黒の場合は白黒で出力するためのキーである。Ｃｏｌｏｒキーは原稿に関係なくカラー出力するためのキーである。Ｂｌａｃｋキーは原稿に関係なく白黒出力するためのキーである。カラーモード選択キー２０１ｇは、これらのうちのいずれか一つのキーが点灯している。
【００２５】
２０１ｈはユーザーモードキーであり、このユーザーモードキー２０１ｈを押すことによりメニュー選択ができる。ユーザーモードキー２０１ｈを押すと、タッチパネルディスプレイ２０１ａが図３（ｃ）のようになり、最上段デッキ１２０から最下段デッキ１２３に対応する各設定画面３２０〜３２３にて各給紙段における設定を予め登録できる。図３（ｃ）は各給紙段に入っている紙種を設定するもので、表面性や坪量からプリント動作時の制御時に搬送や転写電圧などの諸設定を最適にするために使用される。なお、図３（ｃ）は、最上段デッキ１２０の設定画面３２０が選択されていることを示す。ここでの設定を終えて次へボタン３００を押すと、図３（ｄ）のような画面になり、透明トナー使用の設定３３０ができるようになる。ここでは各給紙段に対して透明トナーの使用を「許可」、「警告」、「不可」の３つから選択できるようになっている。標準では全ての給紙段に対して透明トナーの使用を「許可」としているが、「警告」を選ぶことによってユーザーに透明トナー使用を個別に判断させることや、使用を禁止させることができる。
【００２６】
図３（ｃ）および図３（ｄ）での設定は図４にあるようにＲＡＭ２０５に保存される。給紙段ＩＤ  ４０１には各給紙段のＩＤが格納されている。本実施例では最上段デッキ１２０を１、上段デッキ１２１を２、下段デッキ１２２を３、最下段デッキ１２３を４としている。紙サイズＩＤ  ４０２には各給紙段に格納されている紙サイズＩＤが格納されている。各紙サイズに対してユニークにＩＤを割り振り、横置きの場合はそのまま、縦置きの場合は紙サイズＩＤの最大値より大きい値をオフセットとして加算する。これによって各給紙段にどの紙サイズの紙がどちら向きに格納されているかが判断できる。表面性４０３は図３（ｃ）により設定された値が格納されている。本実施例では、普通紙１、再生紙２、色紙３、パンチ済み紙４、厚紙１０、ＯＨＰフィルム１１、ラベル用紙１２としている。透明トナー制限４０４には図３（ｄ）により設定された値が格納されている。表面について「許可」は１、「警告」は２、「不可」は３となっており、裏面に関して「許可」は１０、「警告」は２０、「不可」は３０となっていて、合計値が給紙段としての値になっている。
【００２７】
［動作フロー：図５］
最後にプリント動作時について図５のフローチャートを用いて説明する。
【００２８】
まず、操作部２０１のスタートキー２０１ｃが押されることによってプリント動作が開始される。それに伴いプリンタ制御部２０３（制御手段に相当）によって作像制御が開始される。初めに、指定された給紙段の透明トナー制限４０４が「警告」であるかどうかによって制御が分かれる（ステップＳ１）。具体的には該当する作像が表面であれば一桁目、裏面であれば１０で割った余りが、それぞれ２であるかを判断する。「警告」だった場合は図３（ｅ）にある画面によって「許可」なのか「不可」なのかの入力を求める（ステップＳ２）。「許可」だった場合には全ステーションのレーザー発光を許可し、画像情報に応じた作像を行う（ステップＳ３、ステップＳ５、ステップＳ７）。ステップＳ３において、入力が反対に「不可」だった場合には透明トナーステーション１０６のレーザー発光を禁止し、有色トナーのステーション１０２〜１０５のみ発光させて作像する（ステップＳ３、ステップＳ６、ステップＳ７）。また、ステップＳ１により透明トナー制限４０４が「警告」でなければ、透明トナー制限４０４が「許可」か「不可」かを判断して（ステップＳ４）、ステップＳ３と同様の制御を行う。
【００２９】
上述したように、本実施例によれば、ＯＨＰや再生紙などで透明トナーを使用する必要がないとユーザーが判断した場合には、給紙段ごとに透明トナーの使用に関して設定が可能なため、透明トナーの無駄な消費を抑制可能となっている。
【００３０】
本実施例において使用している操作部や給紙段情報などは一例であり、メカ構成や対応する紙種などにより適時機能を実現できることはいうまでもない。
【００３１】
例えばカラー画像形成装置と連動して動作する光沢付与装置として透明トナーを転写する構成に対してもカラー画像形成装置の給紙段に対して設定を行い、光沢付与装置に対して動作の可否の情報を通知することにより実現可能である。
【００３２】
また、本実施例では転写材収納部である給紙段デッキを最上段デッキ１２０から最下段デッキ１２３までとしているが、これに限られるものではない。
【図面の簡単な説明】
【００３３】
【図１】本発明の実施例に係る画像形成装置の構成を模式的に示す縦断面図である。
【図２】本発明の実施例に係る画像形成装置の制御を行う制御部の概略構成を示すブロック図である。
【図３（ａ）】本発明の実施例に係る操作部の平面図である。
【図３（ｂ）】本発明の実施例に係るタッチパネルディスプレイの通常表示画面を示す図である。
【図３（ｃ）】本発明の実施例に係るタッチパネルディスプレイの給紙段設定画面を示す図である。
【図３（ｄ）】本発明の実施例に係るタッチパネルディスプレイの給紙段設定画面で透明トナーの設定を行う画面を示す図である。
【図３（ｅ）】本発明の実施例に係るタッチパネルディスプレイに透明トナー使用の設定が警告だった場合に表示される画面を示す図である。
【図４】本発明の実施例に係るＲＡＭに保存される給紙段情報を示す概念図である。
【図５】本発明の実施例に係る作像処理のフローチャートである。
【符号の説明】
【００３４】
１００    画像形成装置本体
１０１    リーダー
１２０    最上段デッキ（転写材収納部に相当）
１２１    上段デッキ（転写材収納部に相当）
１２２    下段デッキ（転写材収納部に相当）
１２３    最下段デッキ（転写材収納部に相当）
２０１    操作部（条件設定手段に相当）
２０１ａ  タッチパネルディスプレイ
２０３    プリンタ制御部（制御手段に相当）
３２０    最上段デッキの設定画面
３２１    上段デッキの設定画面
３２２    下段デッキの設定画面
３２３    最下段デッキの設定画面
３３０    透明トナー使用の設定
【図１】
2008116807.tif 000003
【図２】
2008116807.tif 000004
【図３（ａ）】
2008116807.tif 000005
【図３（ｂ）】
2008116807.tif 000006
【図３（ｃ）】
2008116807.tif 000007
【図３（ｄ）】
2008116807.tif 000008
【図３（ｅ）】
2008116807.tif 000009
【図４】
2008116807.tif 000010
【図５】
2008116807.tif 000011